(57)【要約】【課題】  トイレ清掃具の水切れを良くし、かつトイレ清掃具収納容器の洗浄の手間を軽減する。【解決手段】  便座Ｂ２に取り付けられる便座取付部１２と、該便座取付部１２より上方に立設される支持腕部１５とを備えると共に、該支持腕部１５の先端にトイレ清掃具保持手段１６を備え、前記便座取付部１２を便座Ｂ２に取り付けた後、トイレ清掃具３１の柄３２を前記トイレ清掃具保持手段１６で保持して、トイレ清掃具３１のブラシ等の清掃部３３を便器Ｂ１内上方に位置させ、該清掃部３３にしみこんだ水を便器Ｂ１内に滴下させて水切りできることを特徴とする。【選択図】  図３
2007021141.tif 000002
【特許請求の範囲】
【請求項１】
洋式トイレの便座に着脱自在に取り付けられる便座取付部と、該便座取付部から上方に立設される支持腕部とを備えると共に、該支持腕部の先端にトイレ清掃具保持手段を備え、
前記便座取付部を便座に取り付けた後、トイレ清掃具の柄を前記トイレ清掃具保持手段で保持して、トイレ清掃具のブラシ等の清掃部を便器内上方に位置させ、該清掃部にしみこんだ汚水を便器内に滴下させて水切りすることができるトイレ清掃具ホルダ。
【請求項２】
前記トイレ清掃具保持手段は、前記支持腕部の先端より突設した被係止部と、トイレ清掃具の柄の所要位置の外周に着脱自在に取り付けられる係止鍔部材とからなり、
トイレ清掃具の柄に取り付けた前記係止鍔部材を前記被係止部に係止して、該トイレ清掃具を便器内上方で保持することができる請求項１に記載のトイレ清掃具ホルダ。
【請求項３】
前記トイレ清掃具保持手段は、トイレ清掃具の柄を一対の挟持部で挟持するクリップ構造よりなる請求項１に記載のトイレ清掃具ホルダ。
【請求項４】
前記便座取付部は、一対の挟持部で便座を表裏両面から挟持するクリップ構造よりなる請求項１乃至請求項３のいずれか１項に記載のトイレ清掃具ホルダ。
【請求項５】
前記支持腕部は、便座に取り付けられた状態において、前記トイレ清掃具保持手段が便座内周縁よりも外側に位置するように形成され、トイレ清掃具の柄を前記トイレ清掃具保持手段で保持すると共に、該柄の下方位置を便座内周縁で支持させて、該柄を斜めに保持することにより、トイレ清掃具の清掃部を便器内上方に位置させる請求項１乃至請求項４のいずれか１項に記載のトイレ清掃具ホルダ。
【請求項６】
前記便座取付部は、便座の外周縁に、または、該外周縁から裏面かけて係止する係止部よりなる請求項５に記載のトイレ清掃具ホルダ。
【請求項７】
前記トイレ清掃具保持手段は、前記支持腕部の先端より上方に突設されると共に、便座に取り付けられた状態において便座内周縁よりも外側に位置するように形成され、トイレ清掃具の柄を前記トイレ清掃具保持手段で保持すると共に、該柄の下方位置を前記支持腕部の先端部で便座内方へ押し込み、該柄を斜めに保持することにより、トイレ清掃具の清掃部を便器内上方に位置させる請求項１乃至請求項４のいずれか１項に記載のトイレ清掃具ホルダ。
【請求項８】
前記支持腕部は、便座に取り付けられた状態において、前記トイレ清掃具保持手段がトラップ部上方に位置するように形成され、トイレ清掃具を便器内上方で懸吊して保持する請求項１乃至請求項４のいずれか１項に記載のトイレ清掃具ホルダ。
【発明の詳細な説明】
【技術分野】
【０００１】  本発明は、トイレ清掃具ホルダに関し、特に、便器洗浄直後のトイレ清掃具の水切り方法を改良するものに関する。
【背景技術】
【０００２】  従来のトイレ清掃具は、柄の先端にブラシ等の清掃部が取り付けられた単純な構造のものであり、このようなトイレ清掃具で便器内部を洗浄した後、ブラシ部分がまだ濡れているからといってトイレ清掃具を便器内に放置すると、ブラシが便器内面に接した状態となり渇きが悪い。また、誤ってトイレ清掃具をトラップ部に落としてしまうと、ブラシ部分を再度濡らす結果となる。【０００３】  この問題に関し、トイレ清掃具収納器に工夫を加えてトイレ清掃具の水切れを改善しようとする様々な提案がなされている。例えば、特開２０００−２７１０４１号では、図１６に示すように、収納器１のブラシ受け皿２に複数の通水孔３を設けると共に、ブラシ受け皿２の下部に汚水用受け皿４を設け、洗浄後の濡れたトイレ清掃具を前記収納器１に収納することにより、ブラシから滴下する汚水を前記ブラシ受け皿２に溜めずに前記通水孔３を通じて汚水用受け皿４に溜め、まとめて外部に排出できるようにしている。【０００４】  また、特開２０００−０８３７３８号では、図１７に示すように、ブラシ７の上部の柄８に鍔部９を形成し、ブラシ収納時に収納器本体５の上部開口部５ａからブラシ７を垂直に挿入して前記鍔部９を前記開口部５ａの周縁に係止し、ブラシ７を収納器本体５の内壁の何処にも触れない状態で懸吊すると共に、ブラシ７から滴下した汚水は、収納器本体５の下部に着脱自在に嵌合された略半円形状の底部６を取り外して、溜まった汚水をまとめて排出できるようにしている。【０００５】
【特許文献１】特開２０００−２７１０４１号公報
【特許文献２】特開２０００−０８３７３８号公報
【発明の開示】
【発明が解決しようとする課題】
【０００６】  前記いずれの従来例も、トイレ清掃具が自ら滴下した汚水に浸からないように水切れをよくすることはできるが、滴下した汚水は収納器１、５の内部に溜まる構造であるため、トイレ内の湿気やカビの原因となるうえ、溜まった汚水をすぐに捨てても、汚水が付着した容器を洗浄するという不快な手間が必要となる。【０００７】  本発明は前記課題に鑑みてなされたもので、便器洗浄後等の濡れたトイレ清掃具の水切れを良くすると共に、トイレ清掃具から滴下した汚水の処理作業を要しないトイレ清掃具ホルダの提供を課題としている。
【課題を解決するための手段】
【０００８】  前記課題を解決するため、本発明は、便座に取り付けられる便座取付部と、該便座取付部から上方に立設される支持腕部とを備えると共に、該支持腕部の先端にトイレ清掃具保持手段を備え、
前記便座取付部を便座に取り付けた後、トイレ清掃具の柄を前記トイレ清掃具保持手段で保持して、トイレ清掃具のブラシ等の清掃部を便器内上方に位置させ、該清掃部にしみこんだ汚水を便器内に滴下させて水切りできるトイレ清掃具ホルダを提供している。【０００９】  前記構成のトイレ清掃具ホルダを用いれば、便器洗浄後などの濡れたトイレ清掃具を便器上方に保持して、ブラシから滴下する汚水を便器内に直接に落とすことができるため、トイレ清掃具の水切れが大幅に向上する。また、滴下しなくなった、あるいは完全に乾燥したトイレ清掃具をブラシ収納器に収納することができるため、容器内に汚水が溜まらず、湿気やカビを防止できるとともに、溜まった汚水の排出および容器の洗浄などの不快な家事が不要となる。さらに、このトイレ清掃具ホルダは便器に着脱自在に取り付けることができるため、必要なとき以外は便座から取り外しておくことにより、トイレ使用時およびトイレ清掃時に邪魔にならずに済む。【００１０】  前記トイレ清掃具保持手段は、前記支持腕部の先端より突設した被係止部と、トイレ清掃具の柄の所要位置の外周に着脱自在に取り付けられる係止鍔部材とからなり、
トイレ清掃具の柄に取り付けた前記係止鍔部材を前記被係止部に係止して、該トイレ清掃具を便器内上方で保持できるものが好ましい。
前記構成とすることにより、すでに購入した既存のトイレ清掃具に対しても前記トイレ清掃具ホルダを使用することができる。また、トイレ清掃具ホルダの不使用時には、容器等に立てて収納されているトイレ清掃具の柄に前記係止鍔部材を取り付け、該係止鍔部材にトイレ清掃具ホルダの前記被係止部を係止することにより、トイレ清掃具ホルダをトイレ清掃具に引っ掛けて、すっきりと省スペースに収納することができる。
なお、前記トイレ清掃具は、トイレ清掃具ホルダの被係止部に係止されたとき、先端のブラシ部が便器または便座の内側に位置していれば、必ずしも垂直方向に懸吊される必要はなく、斜め方向に保持される構成としてもよい。【００１１】  前記被係止部は、一対の被係止片または被係止棒からなる略Ｕ字形状または略Ｃ字形状のものや、リング状のものでもよく、また、突出方向については、前記支持腕部の先端から該支持腕部の長手方向に平行に延在しても、あるいは支持腕部の長手方向に対して直交方向に突設してもよい。なお、前記被係止部をリング状や略Ｃ字形状とする場合は、トイレ清掃具の柄に取り付けられた前記係止鍔部材に該被係止部を上から引っ掛けることにより、容器等に立てて収納されたトイレ清掃具にトイレ清掃具ホルダを引っ掛ける収納することができる。
前記係止鍔部材は、多様な大きさ、形状のトイレ清掃具の柄にも対応して装着できるように、伸縮性を有する変形自在なリング状のものや、閉鎖方向に付勢された開閉自在なクリップ構造のものが好ましい。【００１２】  前記トイレ清掃具保持手段は、トイレ清掃具の柄を一対の挟持部で挟持するクリップ構造としてもよい。このようなクリップ構造とすることにより、該クリップで挟持する柄の角度を微調整することができるため、ブラシ部分を確実に便器内に位置させることができる。また、トイレ清掃具ホルダの不使用時には、容器等に立てて収納されているトイレ清掃具の柄に、トイレ清掃具ホルダを前記クリップ構造で留めつけて保管することができる。【００１３】  前記便座取付部は、一対の挟持部で便座を表裏両面から挟持するクリップ構造としてもよい。このクリップ構造は、断面コ字状に形成された可撓性を有する挟持部で便座を挟持するもののほか、開閉自在なバネクリップ構造で便座を挟持するものでもよい。いずれの場合も、厚さの異なる多様な便座にも対応して取り付けることができる。なお、前記一対の挟持部の便座と接する面には、弾性を有する緩衝部材を取り付けておくことにより、トイレ清掃具ホルダの取り外しの際に便座に傷をつけることを防止できる。
なお、前記各挟持部は、棒形状でも板片形状でもよく、また矩形状、コの字形状、あるいはＥ字形状などのいずれでもよい。【００１４】  前記便座取付部は、便座の内周縁、あるいは外周縁のいずれに取り付けてもよい。
また、該便座取付部と支持腕部とは分離可能な構造としてもよい。これにより、トイレ清掃具ホルダを狭いスペースに分解収納できるうえ、厚みの異なる便座に対して便座取付部の交換のみで対応できる。【００１５】  前記支持腕部は、便座に取り付けられた状態において、前記トイレ清掃具保持手段が便座内周縁よりも外側に位置するように形成され、トイレ清掃具の柄を前記トイレ清掃具保持手段で保持すると共に、該柄の下方位置を便座内周縁で支持させて、該柄を斜めに保持することにより、トイレ清掃具の清掃部を便器内上方に位置させる構成としている。この場合、前記便座取付部は、便座の外周縁に、または該外周縁から裏面にかけて引っ掛けて取り付ける係止部で構成してもよい。
このように、便座内周縁でトイレ清掃具の柄を下支えする構成とすると、支持腕部を短く設計することができるうえ、便座取付部の構造をシンプル化でき、製造コストを抑えることができる。【００１６】  あるいは、前記トイレ清掃具保持手段は、前記支持腕部の先端より上方に突設されると共に、便座に取り付けられた状態において便座内周縁よりも外側に位置するように形成され、トイレ清掃具の柄を前記トイレ清掃具保持手段で保持すると共に、該柄の下方位置を前記支持腕部の先端部で便座内方へ押し込み、該柄を斜めに保持することにより、トイレ清掃具の清掃部を便器内上方に位置させる構成としてもよい。【００１７】  あるいは、前記支持腕部は、便座に取り付けられた状態において、前記トイレ清掃具保持手段がトラップ部上方に位置するように形成され、トイレ清掃具を便器内上方で懸吊して保持する構成としてもよい。
【発明の効果】
【００１８】  以上の説明より明らかなように、本発明によれば、既存のトイレ清掃具であっても、前記トイレ清掃具ホルダのトイレ清掃具保持手段により、該清掃具を便器内上方に保持することができる。したがって、清掃後にトイレ清掃具から滴下する水を便器内に直接落とすことができ、清掃具を十分に乾燥させてから容器等に収納することができるため、容器内に水がたまることがなく、カビや湿気を防止できるとともに、溜まった水を排出して容器を洗浄する等の不快な手間も不要となる。
【発明を実施するための最良の形態】
【００１９】  本発明の実施形態を図面を参照して説明する。【００２０】  図１乃至図３は、本発明の第一実施形態に係るトイレ清掃具ホルダ１０を示している。該トイレ清掃具ホルダ１０は、本体１１と、トイレ清掃具５１の柄５２に装着される係止鍔部材４１とからなる。前記本体１１は樹脂で一体成形してなり、洋式トイレの便座Ｂ２の外周縁に着脱自在に取り付けられる便座取付部１２と、該便座取付部１２より立設された支持腕部１５と、該支持腕部１５の先端より上方へ突設された被係止部１７とからなり、該被係止部１７と前記係止鍔部材４１とでトイレ清掃具保持手段１６を構成している。【００２１】  前記便座取付部１２は、便座Ｂ２の外周縁Ｂ２ｂから裏面にかけて係止される下向きフック形状の係止部１２ａよりなる。【００２２】  前記支持腕部１５は、前記便座取付部１２より上方に立設された棒形状よりなる。この支持腕部１５の先端に形成された前記被係止部１７は、一対の被係止棒１７ａ、１７ｂを上方に、かつ間隔をあけて平行に突設させた略Ｕ字状よりなり、この一対の被係止棒１７ａ、１７ｂの自由端側をブラシ柄挿入口１７ｃとすると共に、該被係止棒１７ａ、１７ｂの先端に抜け止め突起１７ｄを外側へ突設し、被係止棒１７ａ、１７ｂから前記係止鍔部４１を抜け止めする構成としている。該被係止棒１７ａ、１７ｂの間隔は、市販されている多様なトイレ清掃具５１のブラシ柄５２の太さよりも大寸としている。【００２３】  前記支持腕部１５は、図３（Ａ）（Ｂ）に示すように、便座Ｂ２に取りつけられた状態において、前記被係止部１７が便座Ｂ２の内周縁Ｂ２ａよりも外側に位置するように、略垂直上方に立設されるとともに、その長さは、被係止部１７にトイレ清掃具５１の柄５２を保持させたときに、該柄５２が便座Ｂ２の内周縁Ｂ２ａで支持され、かつ、トイレ清掃具５１のブラシ部５３が便器Ｂ１内の底面から遊離して上方で保持されるように設定している。【００２４】  トイレ清掃具５１の柄５２に装着される前記係止鍔部材４１はバネクリップ構造よりなる。詳しくは、図２（Ａ）（Ｂ）にも示すように、一対の湾曲したアーム部４１ａ、４１ａのそれぞれの一端側に互いに嵌合する回転軸受部４１ｃ、４１ｃを形成し、該回転軸受部４１ｃ、４１ｃに回転軸４１ｅを連通して蝶着して形成されている。前記回転軸受部４１ｃ、４１ｃの外側には指当て部４１ｄ、４１ｄをそれぞれ突設し、前記指当て部４１ｄ、４１ｄにはＣ字状に湾曲したバネ４１ｆを挿通する貫通穴４１ｇ、４１ｇをそれぞれ穿設するとともに、前記アーム部４１ａ、４１ａの外面側に、前記貫通穴４１ｇ、４１ｇに挿通したバネ４１ｆの両端をそれぞれ嵌めこむことができる凹部４１ｈを形成し、該バネ４１ｆにより前記アーム部４１ａ、４１ａを常に閉鎖方向に付勢している。前記アーム部４１ａ、４１ａは、上下両縁より外側に屈曲させて扇形状の鍔部４１ｂ、４１ｂを形成している。この鍔部４１ｂの径方向の幅は、既存の最細のブラシ柄５２に前記係止鍔部材４１を取り付けた状態において、該鍔部４１ｂの外径が前記被係止部１７の係止棒１７ａ、１７ｂの内幅よりも大寸となるように設定している。【００２５】  前記トイレ清掃具ホルダ１０を使用するときは、まず、前���係止鍔部材４１をトイレ清掃具５１の柄５２の所要位置に外嵌させて取り付け、次に、図３（Ａ）（Ｂ）に示すように、本体１１の前記便座取付部１２を、便座Ｂ２の手前部分の外周縁Ｂ２ｂから裏面にかけて引っ掛け、係止部１２ａを便器Ｂ１の上縁と便座Ｂ２との間に挟みこむ。この状態で、前記被係止部１７のブラシ柄挿入口１７ｃからトイレ清掃具５１の柄５２を挿入し、係止棒１７ａ、１７ｂに前記係止鍔部材４１を係止させる。これにより、トイレ清掃具５１は、柄５２に取り付けられた前記係止鍔部材４１が、トイレ清掃具ホルダ１０の被係止部１７の係止棒１７ａ、１７ｂと抜け止め突起１７ｄに抜け止めされることによりトイレ清掃具ホルダ１０に係止され、かつ、柄５２が便座Ｂ２の内周縁Ｂ２ａに下支えされて斜めに保持されるため、ブラシ部５３を下げ過ぎることなく、便器Ｂ１の底面およびトラップ部Ｔの水面から遊離した上方に保持することができる。【００２６】  従って、トイレ洗浄後などの濡れたトイレ清掃具５１を、容器等に収納する前に、便器Ｂ１内の上方で保持し、効果的に水切りできるため、カビや悪臭の発生を防止できる。また、滴下した汚水を便器内に直接に落とすことができるため、容器の洗浄等の手間を省くことができる。【００２７】  図４は、前記第一実施形態の変形例１を示し、被係止部１７を、支持腕部１５の先端より上方に突設した略Ｃ字のフック状とし、該被係止部１７をトイレ清掃具５１の柄５２の外周に引っ掛けるとともに、該柄５２に取り付けられた前記係止鍔部材４１を該被係止部１７に係止させる構成としてもよい。【００２８】  図５および図６（Ａ）（Ｂ）は、本発明の第二実施形態を示し、前記支持腕部１５の先端には、前記トイレ清掃具保持手段１６としてバネクリップ１８を形成しているが、その他の点では前記第一実施形態と同一構成としている。【００２９】  前記トイレ清掃具保持手段１６としてのバネクリップ１８は、当て部１８ａと押さえ部１８ｂとからなる一対の挟持片を備えている。即ち、図６（Ａ）（Ｂ）に示すように、支持腕部１５の先端より延在し、一側面より回転軸受部１８ｃを突設した当て部１８ａと、前記回転軸受部１８ｃと相対する位置に回転軸受部１８ｄを突設した押さえ部１８ｂとを軸１８ｅで蝶着してなり、該軸１８ｅの外周にバネ１８ｆを取り付けて前記当て部１８ａと押さえ部１８ｂを常に閉鎖方向に付勢している。また、前記当て部１８ａと押さえ部１８ｂは、互いに相対する面に滑り止めゴム材（図示せず）を固着している。【００３０】  本実施形態に係るトイレ清掃具ホルダ１０は、図５に示すように、前記バネクリップ１８により、多様な形状および太さのブラシ柄５２を安定的に挟持することができるうえ、ブラシ部５３が便器Ｂ１内の上方で、底面にも水面にも付かないように保持位置を調整することができる。さらに、トイレ清掃具ホルダ１０の不使用時には、容器等に立てられたトイレ清掃具５１のブラシ柄５２に該バネクリップ１８を挟みつけることにより、トイレ清掃具５１にトイレ清掃具ホルダ１０を留めつけて収納することができる。さらにまた、別体となる係止鍔部材が不要となるため、係止鍔部材の紛失等による不具合が発生せず、保管・管理の点においても好適である。【００３１】  図７（Ａ）（Ｂ）は、本発明の第三実施形態を示し、トイレ清掃具ホルダ本体１１を便座に固定する便座取付部１３をバネクリップ構造としているが、その他の点は前記第二実施形態と同一構成としている。【００３２】  前記便座取付部１３は、上下一対の挟持片１３ａ、１３ｂを、互いの回転軸受部１３ｃ、１３ｄに軸１３ｅを通して蝶着してなり、該軸１３ｅの外周にバネ１３ｆを取り付けて上下挟持片１３ａ、１３ｂを常に閉鎖方向に付勢している。上挟持片１３ａは、前記支持腕部１５の下部より連続一体に水平方向に突設している。また、前記挟持片１３ａ、１３ｂは、互いに相対する面にそれぞれ緩衝ゴム（図示せず）を固着している。【００３３】  本実施形態に係るトイレ清掃具ホルダ１０は、バネクリップ構造の前記便座取付部１３で便座Ｂ２を挟持して取り付けられるため、便座Ｂ２の多様な厚みにも柔軟に対応できるうえ、該便座取付部１３が前記バネ１３ｆにより閉鎖方向に付勢されているため、便座Ｂ２に取り付けられたトイレ清掃具ホルダ１０の安定感にも優れる。【００３４】  図８（Ａ）（Ｂ）は、本発明の第四実施形態を示し、トイレ清掃具ホルダ本体１１を便座Ｂ２に固定する便座取付部１４をバネなしのクリップ構造としているが、その他の点では前記第二、第三実施形態と同一構成としている。【００３５】  前記便座取付部１４は、可撓性を有する略コの字形状の一対の挟持片１４ａ、１４ｂを、連結部１４ｃの上下両端から同一方向に水平に突設して断面コの字形状に形成している。上挟持片１４ａの下面側と、下挟持片１４ｂの上面側には、それぞれ緩衝ゴム（図示せず）を粘着剤で固着している。【００３６】  この便座取付部１４は、挟持片１４ａ、１４ｂが可撓性を備えるため、便座Ｂ２の表裏両面を圧接気味に挟持することができ、トイレ清掃具ホルダ本体１１を安定的に便座Ｂ２に固定することができる。また、図８（Ｂ）に示すように、便座Ｂ２に取り付けられた便座取付部１４は、水平に引き抜くことにより容易に取り外すことができるうえ、前記緩衝ゴム（図示せず）により、便座Ｂ２の傷付きを防止できる。【００３７】  図９および図１０は本発明の第五実施形態に係るトイレ清掃具ホルダ１０’を示している。【００３８】  前記トイレ清掃具ホルダ１０’は、トイレ清掃具ホルダ本体２１と、トイレ清掃具５１の柄５２に装着される係止鍔部材４２とからなる。前記本体２１は樹脂で一体成形してなり、洋式トイレの便座Ｂ２の外周縁に着脱自在に取り付けられる便座取付部２２と、該便座取付部２２より立設された支持腕部２３と、該支持腕部２３の先端より上方へ突設された被係止部２５とからなり、該被係止部２５と前記係止鍔部材４２とでトイレ清掃具保持手段２４を構成している。【００３９】  前記係止鍔部材４２は、トイレ清掃具５１の柄の外周に装着される伸縮自在な極太ゴム環からなる。【００４０】  前記便座取付部２２は、可撓性を有する略コの字形状の一対の挟持片２２ａ、２２ｂを、連結部２２ｃの上下両端から同一方向に水平に突設して断面コの字形状に形成している。上挟持片２２ａの下面側と、下挟持片２２ｂの上面側には、それぞれ緩衝ゴム（図示せず）を粘着剤で固着している。【００４１】  前記支持��部２３は、前記便座取付部２２より上方に立設された棒形状よりなる。この支持腕部２３の先端に形成された前記被係止部２５は、支持腕部２３の先端より上方に突設した略Ｃ字のフック状とし、該被係止部２５をトイレ清掃具５１の柄５２の外周に引っ掛けるとともに、該柄５２に取り付けられた前記係止鍔部材４２を該被係止部２５に係止させる構成としている。【００４２】  前記支持腕部２３は、図１０（Ｂ）に示すように、便座Ｂ２に取りつけられた状態において、前記被係止部２５が便座Ｂ２の内周縁Ｂ２ａよりも外側に位置するように、略垂直上方に立設される。また、支持腕部２３の長さは、前記第一乃至第四実施形態に係る支持腕部１５の長さよりも長く、被係止部２５にトイレ清掃具５１の柄５２を保持させたときに、該柄５２が便座Ｂ２に触れず、かつ、トイレ清掃具５１のブラシ部５３が便器Ｂ１内の底面から遊離した上方で保持されるように設定している。【００４３】  前記トイレ清掃具ホルダ１０’を使用するときは、まず、前記係止鍔部材４２をトイレ清掃具５１の柄５２の所要位置に外嵌させて取り付け、次に、図１０（Ａ）に示すように、本体２１の前記便座取付部２２を、便座Ｂ２の側部に外周縁から水平に嵌めて取り付け、その状態で、前記被係止部２５に、ブラシ柄挿入口２５ａからトイレ清掃具５１の柄５２を挿入し、前記係止鍔部材４２を被係止部２５に係止させて、トイレ清掃具５１をホルダ本体２１に係止保持させる。このとき、図１０（Ｂ）に示すように、柄５２の、前記被係止部２５による係止位置の下方位置が、支持腕部２３の先端部２３ａにより便器Ｂ１の内方へと押し込まれ、柄５２が斜めに保持される。これにより、トイレ清掃具５１のブラシ部５３は下がり過ぎず、便器Ｂ１の底面およびトラップ部Ｔの水面から遊離した上方に保持されるため、効果的に水切りすることができる。【００４４】  図１１は、本発明の第六実施形態を示し、トイレ清掃５１の柄５２を斜めに保持するために、前記支持腕部２３より突設した支持突起２６で該柄５２を便器Ｂ１内方へ押し込む構造としており、その他の構造は前記第五実施形態と同一構成としている。【００４５】  詳しくは、前記支持突起２６は、前記支持腕部２３の、前記被係止部２５よりも下方位置より突設され、ホルダ本体２１が便座Ｂ２に取り付けられた状態において、便器Ｂ１内方に向かって突出すると共に、トイレ清掃具５１の柄５２を便器Ｂ１内方に押し込むことができる長さに形成されている。該支持突起２６の先端には、トイレ清掃具５１の柄５２に嵌合する凹部２６ａが設けられている。【００４６】  なお、前記便座取付部２２には、第三実施形態の便座取付部１３のようなバネクリップ構造を採用してもよい。【００４７】  図１２および図１３は本発明の第七実施形態に係る懸吊タイプのトイレ清掃具ホルダ１０”を示している。該トイレ清掃具ホルダ１０”は、トイレ清掃具ホルダ本体３１と係止鍔部材４２とからなり、トイレ清掃具ホルダ本体３１の支持腕部３４は、バネなしクリップ構造の便座取付部３２の上挟持片３２ａより立設し、便器Ｂ１内のトラップ部Ｔ上方まで延在している。【００４８】  詳しくは、前記便座取付部３２は、可撓性を有する略コの字形状の一対の挟持片３２ａ、３２ｂを、連結部３２ｃの上下両端から同一方向に水平に突設して断面コの字形状に形成してなる。前記支持腕部３４は、前記便座取付部３２の上挟持片３２ａの上面に突設された、上方開口の支持腕嵌合部３２ｄに差し込まれ、分離可能に連結されている。該支持腕部３４は、下部から上部に向かって、前記便座取付部３２の挟持片３２ａ、３２ｂの突出方向と同一方向に湾曲している。【００４９】  前記支持腕部３４の先端には、一対の被係止棒３６ａ、３６ｂを間隔をあけて水平かつ略平行に突設した、略Ｕ字状の被係止部３６が形成され、この一対の被係止棒３６ａ、３６ｂの自由端側をブラシ柄挿入口３６ｃとしている。この被係止部３６は、前記トイレ清掃具ホルダ本体３１を便座Ｂ２に取りつけた状態において、便器Ｂ１内のトラップ部Ｔの上方に位置するように形成されている。また、被係止棒３６ａ、３６ｂの間隔は、市販されている多様なトイレ清掃具５１のブラシ柄５２の太さよりも大寸としている。【００５０】  本実施形態においては、図１３に示すように、トイレ清掃具５１の柄５２に、伸縮性ゴム環からなる前記係止鍔部材４２を取りつけておき、便座Ｂ２に固定されたトイレ清掃具ホルダ本体３１の前記被係止部３６に、ブラシ柄挿入口３６ｃから柄５２を挿入すると共に、係止鍔部材４２を該被係止部３６に係止することにより、トイレ清掃具５１を便器Ｂ１内上方に懸吊状態で保持でき、ブラシ部５３から滴下する水滴を便器Ｂ１内に直接落として水きりすることができる。
また、便座取付部３２と支持腕部３４とを分離可能な構造としているため、収納時に分解してコンパクト化できるうえ、上下挟持片３２ａ、３２ｂ間の寸法が相違する多様な便座取付部３２を製造しておくことにより、トイレの取替え等で便座の厚みが変わっても便座取付部３２の付け替えのみで対応でき、また、将来的に一層多様化しうるトイレ便座の厚みの変更には、前記便座取付部３２の設計変更で対応でき、購入者のみならずメーカーにとっても好適となる。【００５１】  図１４および図１５は、本発明の第八実施形態に係る懸吊タイプのトイレ清掃具ホルダ１０”を示し、トイレ清掃具保持手段３５を、トイレ清掃具５１の柄に装着されるバネクリップ構造の係止鍔部材４１と、トイレ清掃具ホルダ本体３１の支持腕部３４の先端より水平方向に突設したリング状の被係止部３７で構成している。また、支持腕部３４は、便座取付部３２の上挟持片３２ａの上面に連続一体に結合されている。その他は前記第七実施形態と同一構成である。前記被係止部３７は、中央にブラシ柄挿通孔３７ａを上下方向に貫通させている。【００５２】  本実施形態では、トイレ清掃具ホルダ本体３１の前記被係止部３７のブラシ柄挿通孔３７ａに、トイレ清掃具５１の柄５２を下方から挿通し、上方に突出した該柄５２の外周に前記係止鍔部材４１を嵌めて装着し、該係止鍔部材４１を被係止部３７に係止することにより、トイレ清掃具５１を便器Ｂ１内上方に懸吊状態で保持することができる。【００５３】  また、トイレ清掃具ホルダ３１の不使用時には、図１５に示すように、容器等に立てて収納されているトイレ清掃具５１の柄５２の外周に係止鍔部材４１を取りつけ、該柄５２の上端からトイレ清掃具ホルダ本体３１の前記被係止部３７を嵌め、該被係止部３７を前記係止鍔部材４１に係止させることにより、ホルダ本体３１をトイレ清掃具５１の柄５２に引っ掛けて収納することができる。【００５４】  なお、本発明は前記実施形態に限定するものではない。特に、前記第三実施形態〜第八実施形態に関しては、トイレ清掃具ホルダ本体は、便座の内外周縁のどちらに取り付ける構造でもよく、また、便座の側部に限らず、手前部や後方部に取り付けてもよい。また、トイレ清掃具ホルダ本体は、樹脂製に限らず、スチールやクローム等の金属製としてもよく、さらには、着色したポリスチレンで全体をコーティングしたスチールで形成してもよい。
【図面の簡単な説明】
【００５５】
【図１】  本発明の第一実施形態に係るトイレ清掃具ホルダの分解斜視図である。
【図２】  図１に示す係止鍔部材を示し、（Ａ）は正面図であり、（Ｂ）は側面図である。
【図３】  図１に示すトイレ清掃具ホルダの使用状態を示し、（Ａ）は全体斜視図であり、（Ｂ）は説明図である。
【図４】  第一実施形態の変形例１を示す斜視図である。
【図５】  本発明の第二実施形態に係るトイレ清掃具ホルダの使用状態を示す全体斜視図である。
【図６】  図５に示すトイレ清掃具ホルダのバネクリップを示し、（Ａ）は平面図であり、（Ｂ）は右側方から見た構成説明図である。
【図７】  本発明の第三実施形態に係るトイレ清掃具ホルダを便座に取り付けた状態を示し、（Ａ）は正面図であり、（Ｂ）は要部斜視図である。
【図８】  本発明の第四実施形態係るトイレ清掃具ホルダを便座に取り付けた状態を示し、（Ａ）は正面図であり、（Ｂ）は要部斜視図である。
【図９】  本発明の第五実施形態を示す分解斜視図である。
【図１０】  図９に示すトイレ清掃具ホルダの使用状態を示し、（Ａ）は全体斜視図であり、（Ｂ）は説明図である。
【図１１】  本発明の第六実施形態の要部を示す斜視図である。
【図１２】  本発明の第七実施形態を示す分解斜視図である。
【図１３】  図１２に示すトイレ清掃具ホルダの使用状態を示す全体斜視図である。
【図１４】  本発明の第八実施形態を示す斜視図である。
【図１５】  図１４に示すトイレ清掃具ホルダの収納状態を示す斜視図である。
【図１６】  従来例の図である。
【図１７】  他の従来例の図である。
【符号の説明】
【００５６】  １０、１０’、１０”  トイレ清掃具ホルダ
１１、２１、３１  トイレ清掃具ホルダ本体
１２、１３、１４、２２、３２  便座取付部
１５、２３、３４  支持腕部
１６、２４、３５  トイレ清掃具保持手段
１７、２５、３６、３７  被係止部
１８  バネクリップ
４１、４２  係止鍔部材
５１  トイレ清掃具
５２  柄
【図１】
2007021141.tif 000003
【図２】
2007021141.tif 000004
【図３】
2007021141.tif 000005
【図４】
2007021141.tif 000006
【図５】
2007021141.tif 000007
【図６】
2007021141.tif 000008
【図７】
2007021141.tif 000009
【図８】
2007021141.tif 000010
【図９】
2007021141.tif 000011
【図１１】
2007021141.tif 000012
【図１０】
2007021141.tif 000013
【図１２】
2007021141.tif 000014
【図１３】
2007021141.tif 000015
【図１４】
2007021141.tif 000016
【図１５】
2007021141.tif 000017
【図１６】
2007021141.tif 000018
【図１７】
2007021141.tif 000019